(57)【要約】【課題】表表紙と裏表紙とを本を閉じた状態で互いに固定する手段を有する本を、棚に収納されたその本の隣に他の本を挿入しやすくなるように改良する。【解決手段】本１は、表表紙１２と裏表紙１３と背表紙１１からなる表紙を持つ。裏表紙１３には伸縮性を有する紐３０の両端が固定されている。表表紙１２には固定部材４０が取付けられている。固定部材４０は係止部４２と案内部４３を持つ。係止部４２に紐３０を掛けると表表紙１２と裏表紙１３が固定される。棚に縦置された本１の表表紙１２側に他の本を押し込むとき、その本の表表紙１２に隣接する表紙は、案内部４３により係止部４２を乗り越える。【選択図】図１
2016132120.tif 000002
【特許請求の範囲】
【請求項１】
その基端側で互いに接続された表表紙と、裏表紙とを含む表紙を有する本であり、
前記表表紙と、前記裏表紙とを、前記本が閉じられた状態で互いに固定するものであり、前記表表紙と前記裏表紙とが固定されたときに、前記表表紙又は前記裏表紙の少なくとも一方に、前記表表紙又は前記裏表紙の外面から外側に膨らむ凸部を形成するようになっている、固定手段と、
前記凸部が存在する前記表表紙又は前記裏表紙の前記凸部よりも前記基端側の部分に設けられた、前記本が棚に縦置きで収納された状態で前記凸部が存在する前記表表紙又は前記裏表紙と接触させつつ、棚に前記本とは別の他の本を挿入したときに、前記他の本の表紙の先端が前記凸部を乗り越えるように前記他の本の表紙の先端を前記凸部が存在する前記表表紙又は前記裏表紙から離れる方向に案内する案内部材と、
を備えている、本。
【請求項２】
前記案内部材は、前記凸部が存在する前記表表紙又は前記裏表紙にその基端が接し、且つ前記凸部の先端に向かうに連れて前記凸部が存在する前記表表紙又は前記裏表紙からの距離が遠くなるように形成された傾斜面を備えており、前記他の本の表紙の先端は前記傾斜面に接触することで、前記凸部が存在する前記表表紙又は前記裏表紙から離れる方向に案内されるようになっている、
請求項１記載の本。
【請求項３】
前記傾斜面の幅は、前記凸部の幅と略同じかそれよりも広い、
請求項２記載の本。
【請求項４】
前記案内部材は、前記凸部が存在する前記表表紙又は前記裏表紙の幅方向に複数設けられている、
請求項１記載の本。
【請求項５】
前記傾斜面は、前記凸部が存在する前記表表紙又は前記裏表紙の幅方向に複数設けられている、
請求項２記載の本。
【請求項６】
前記案内部材は、前記凸部の一部と一体になっている、
請求項１記載の本。
【請求項７】
前記固定手段は、前記表表紙又は前記裏表紙の一方の外面にその一端を取付けられた、前記表表紙の外面に向けて曲折可能な第１部材と、前記表表紙又は前記裏表紙の他方の外面に取付けられた、前記表表紙の外面に向けて曲折された前記第１部材と係止可能な第２部材とを含んでなり、
前記案内部材は、前記第２部材と一体になっている、
請求項６記載の本。
【請求項８】
前記第１部材は、帯状又は線状である、
請求項７記載の本。
【請求項９】
バインダーである、
請求項１記載の本。
【請求項１０】
その基端側で互いに接続された表表紙と、裏表紙とを含む表紙を有するとともに、前記表表紙と前記裏表紙とには、所定の本の表表紙と裏表紙である本表表紙と本裏表紙との着脱自在な固定をなすための固定部が設けられているブックカバーであって、
前記表表紙と、前記裏表紙とを、前記本が閉じられた状態で互いに固定するものであり、前記表表紙と前記裏表紙とが固定されたときに、前記表表紙又は前記裏表紙の少なくとも一方に、前記表表紙又は前記裏表紙の外面から外側に膨らむ凸部を形成するようになっている、固定手段と、
前記凸部が存在する前記表表紙又は前記裏表紙の前記凸部よりも前記基端側の部分に設けられた、前記ブックカバーに固定された本が棚に縦置きで収納された状態で前記凸部が存在する前記表表紙又は前記裏表紙と接触させつつ、棚に前記本とは別の他の本を挿入したときに、前記他の本の表紙の先端が前記凸部を乗り越えるように前記他の本の表紙の先端を前記凸部が存在する前記表表紙又は前記裏表紙から離れる方向に案内する案内部材と、
を備えている、ブックカバー。
【発明の詳細な説明】
【技術分野】
【０００１】
本発明は、表表紙と裏表紙とを、本を閉じた状態で互いに固定する手段を有する本に関する。
【背景技術】
【０００２】
本願における「本」の語は、矩形の紙又は樹脂製のシートであるシート片を、多くの場合には１０枚以上、少なくとも複数重ね合わせてなる中身を、中身と同一形状かそれよりも一回り大きな表表紙と裏表紙との間に挟み込み、且つ中身と表表紙及び裏表紙の基端部分付近同士を固定することによって、表表紙、中身を構成する各シート片、及び裏表紙とのそれぞれを、互いに隣接するものに対して、その基端部分を軸として任意に回転できるようにしたもの一般を含むものとする。
その意味において、本願における「本」には、少なくとも、例えばメモを取ることを目的としたノートが、手帳が、また、何かが印刷されたシート片を有する書籍が、そして、何かを書き込んだり、貼りつけたり、或いは袋状になっておりそのなかに所望の薄い紙等を差し込めるようになっているシート片を有するバインダーが含まれる。また、手帳に対してカバーを着脱自在となっているカバー付きの手帳のように、手帳とカバーが一体とはなっていないものも、本願における「本」に含まれるものとする。
なお、本願における「本」が備える表紙は、表表紙と裏表紙のみで足り、背表紙は存在しても存在しなくても良い。
【０００３】
本願における本の定義は上述のようなものであるが、本の中には表表紙と裏表紙とを、本を閉じた状態で互いに固定する手段を有するものがある。かかる固定手段は、本が予期せぬときに開くことを防止することをその主な目的とする。
例えば、カバー付きの手帳の中には、その表表紙に相当するカバーと裏表紙に相当するカバーの先端付近同士を、紐や金具、或いはゴム等の伸縮性を有する線状体で固定できるようになっているものがある。また、バインダーの中にも、表表紙と裏表紙の先端付近同士を、紐や金具、或いはゴム等の伸縮性を有する線状体で固定できるようになっているものがある。同様の構造は、ノートや手帳や一般的な書籍、或いは書籍に被せて使用されるブックカバー等でも採用されている。
【発明の概要】
【発明が解決しようとする課題】
【０００４】
表表紙と裏表紙とを、本を閉じた状態で互いに固定するという技術思想自体は非常に古いものであり、上述した例を引くまでもなく広く普及している。
しかしながら、表表紙と裏表紙とを、本を閉じた状態で互いに固定する手段にも改良すべき点が存在する。
かかる手段を備える本の場合、本の表表紙と裏表紙の少なくとも一方の外面に外側に向かって膨らむ凸部を設けざるを得ない場合が多い。
そして、そのような凸部が存在すると、仮に、そのような凸部を有する本が棚に縦置されている状態で、その本の上記凸部がある側に隣接させて他の本（この本は上述の凸部がない場合もある）を棚に挿入しようとすると、他の本の凸部を有する側の例えば表紙が、凸部を有する本の当該凸部に引っ掛かり、棚の奥まで挿入できない場合が生じうる。
同種の本が棚に並べられる場合（例えば、本がバインダーである場合には同種のバインダーが並列して棚に収納されるのは良くあることである。）には、そのような問題が生じやすい。
【０００５】
本願発明は、表表紙と裏表紙とを、本を閉じた状態で互いに固定する手段を有するがために、表表紙と裏表紙の少なくとも一方の外面に凸部を有する本を、棚に収納された凸部を有する上記本の凸部を有する表表紙又は裏表紙に隣接させた状態で他の本を棚に挿入したとしても、その他の本と上記凸部とが係止しないようにするための技術を提供することを、その課題とする。
【課題を解決するための手段】
【０００６】
上述の課題を解決するものとして、本願発明者は以下の発明を提案する。
本願発明は、その基端側で互いに接続された表表紙と、裏表紙とを含む表紙を有する本である。なお、表表紙と裏表紙は、直接接続されている場合もあるし、背表紙を介して接続されている場合もある。また、背景技術の欄で「本」について定義したように、表表紙と裏表紙の間には、シート片を複数重ねた中身が存在する。
そして、本願発明による本は、前記表表紙と、前記裏表紙とを、前記本が閉じられた状態で互いに固定するものであり、前記表表紙と前記裏表紙とが固定されたときに、前記表表紙又は前記裏表紙の少なくとも一方に、前記表表紙又は前記裏表紙の外面から外側に膨らむ凸部を形成するようになっている、固定手段と、前記凸部が存在する前記表表紙又は前記裏表紙の前記凸部よりも前記基端側の部分に設けられた、前記本が棚に縦置きで収納された状態で前記凸部が存在する前記表表紙又は前記裏表紙と接触させつつ、棚に前記本とは別の他の本を挿入したときに、前記他の本の表紙の先端が前記凸部を乗り越えるように前記他の本の表紙の先端を前記凸部が存在する前記表表紙又は前記裏表紙から離れる方向に案内する案内部材と、を備えている。
この本は、表表紙と裏表紙とを本を閉じた状態で固定する固定手段を備えている。そして固定手段は、表表紙と裏表紙と固定した状態で、表表紙と裏表紙の少なくとも一方に、表表紙又は裏表紙の外面から外側に膨らむ凸部を形成するようになっている。なお、本願発明における凸部は、表表紙と裏表紙とを固定していないときにも存在していても良いが、表表紙と裏表紙とを固定したときには少なくても存在する。
かかる凸部が存在すると、凸部を有する本が棚に縦置きで収納された状態で凸部が存在する表表紙又は裏表紙と接触させつつ、棚に凸部を有するその本とは別の他の本を挿入したときに、他の本の凸部を有する側の例えば表紙が、凸部を有するその本の当該凸部に引っ掛かり、棚の奥まで挿入できないという事態が生じうる。
それを回避するために、本願の本には案内部材が設けられている。
案内部材は、凸部が存在する表表紙又は裏表紙の凸部よりも基端側の部分に設けられる。案内部材は、本願発明の本が棚に縦置きで収納された状態で凸部が存在する表表紙又は裏表紙と接触させつつ、棚に本願発明の本とは別の他の本を挿入したときに、当該他の本の表紙の先端が凸部を乗り越えるように他の本の表紙の先端を凸部が存在する表表紙又は裏表紙から離れる方向に案内するものである。案内部材は、そのような案内を行えるような形状、大きさとされる。そのような案内部材の存在により、他の本の表紙のうち、凸部が存在する表表紙又は裏表紙と接触するものの外面は、凸部が存在する表表紙又は裏表紙と接触しながら凸部が存在する表表紙又は裏表紙の基端側から先端側へと移動していく途中に、凸部よりも手前にある案内部材に接触して、その先端が凸部を乗り越えるように案内される。これにより、棚に凸部を有するその本とは別の他の本を挿入したときに、他の本の凸部を有する側の例えば表紙が、凸部を有するその本の当該凸部に引っ掛かり、棚の奥まで挿入できないという事態を回避することができるようになる。
なお、案内部材は他の本の表紙のみを案内するようになっていれば十分である。案内部材がなければ凸部に引っ掛かる方の表紙が案内部材に案内されて凸部を乗り越えられれば、他の本の中身も当然に凸部を乗り越えるからである。
【０００７】
本願発明における案内部材は、本願発明の本が棚に縦置きで収納された状態で凸部が存在する表表紙又は裏表紙と接触させつつ、棚に本願発明の本とは別の他の本を挿入したときに、当該他の本の表紙の先端が凸部を乗り越えるように他の本の表紙の先端を凸部が存在する表表紙又は裏表紙から離れる方向に案内するような大きさ、形状となっていればその大きさ、形状に特に制限はない。
前記案内部材は、前記凸部が存在する前記表表紙又は前記裏表紙にその基端が接し、且つ前記凸部の先端に向かうに連れて前記凸部が存在する前記表表紙又は前記裏表紙からの距離が遠くなるように形成された傾斜面を備えており、前記他の本の表紙の先端は前記傾斜面に接触することで、前記凸部が存在する前記表表紙又は前記裏表紙から離れる方向に案内されるようになっていてもよい。
このような傾斜面が存在すれば、他の本の表紙の先端を、凸部が存在する表表紙又は裏表紙から離れる方向に容易に且つ安定して案内することが可能となる。かかる傾斜面の凸部が存在する表表紙又は裏表紙の外面に対する角度は、それが小さい方が他の本の表紙と凸部とが引っ掛かる可能性を小さくできるが、それが余りにも小さいと傾斜面の長さが長くなり場合によっては、意匠に劣るおそれもあるので、それを考慮して適宜の角度とするのが良い。
【０００８】
前記傾斜面の幅は、前記凸部の幅と略同じかそれよりも広くすることができる。
なお、ここでいう傾斜面と凸部の「幅」は、本願発明の本を縦置きした場合における上下方向の長さを意味する。傾斜面の幅が凸部の幅よりも著しく小さいと、他の本の表紙の先端のうち傾斜面によって案内されない部分（傾斜面から食み出た部分）が凸部に引っ掛かることも考えられる。傾斜面の幅を、凸部の幅と略同じかそれよりも広くすることにより、凸部の幅方向の略全長に対応した位置に傾斜面を存在させることができるようになるので、他の本の表紙の先端のうち傾斜面によって案内されない部分が凸部に引っ掛かることを防ぎやすくなる。
【０００９】
前記案内部材は、１つでも良いが、前記凸部が存在する前記表表紙又は前記裏表紙の幅方向に複数設けられていても良い。凸部の幅、例えば凸部が有する傾斜面の幅が凸部の幅よりも著しく小さいと、他の本の表紙の先端のうち傾斜面によって案内されない部分が凸部に引っ掛かることも考えられる。そのような事態は、凸部の幅が大きい場合に特に発生しやすい。凸部の幅が大きい場合には、凸部の幅方向よりも案内部材の幅を大きくし、例えば案内部材の傾斜面の幅を大きくすれば、他の本の表紙の先端のうち傾斜面によって案内されない部分が凸部に引っ掛かるということは生じにくくなる。他方、案内部材を、一定でもそうでなくても良いが所定の間隔で凸部の存在する表表紙又は裏表紙の幅方向に複数設けることによっても、他の本の表紙の先端のうち傾斜面によって案内されない部分が凸部に引っ掛かるということを生じにくくすることができる。
或いは、前記傾斜面は、前記凸部が存在する前記表表紙又は前記裏表紙の幅方向に複数設けられていても良い。これによっても、他の本の表紙の先端のうち傾斜面によって案内されない部分が凸部に引っ掛かるということを生じにくくすることができる。この場合、傾斜面は、１つの案内部材に複数設けられていても良いし、複数の案内部材に１つずつ設けられていても良い。
【００１０】
前記案内部材は、前記凸部の一部と一体になっていても良い。
上述したように、案内部材は、凸部が存在する表表紙又は裏表紙の凸部よりも基端側に設けられる。この場合、凸部から案内部材までの距離が余りに長いと、案内部材によって、凸部が存在する表表紙又は裏表紙の凸部から一旦離れた他の本の表紙の先端が、凸部が存在する表表紙又は裏表紙に近づき、凸部に引っ掛かるという事態も生じうる。案内部材と凸部との距離はそのような事態が生じないようにある程度近づけるかそのように調節する必要があるが、案内部材を凸部の一部と一体とすることにより、案内部材と凸部の距離を調節する必要がなくなる。また、案内部材と凸部の一部とを一体とすることで、様々な本にその部品を使い回すことが可能となり、それによりコストダウンが実現できることになる。
【００１１】
案内部材と凸部の一部とが一体となっている場合、前記固定手段は、前記表表紙又は前記裏表紙の一方の外面にその一端を取付けられた、前記表表紙の外面に向けて曲折可能な第１部材と、前記表表紙又は前記裏表紙の他方の外面に取付けられた、前記表表紙の外面に向けて曲折された前記第１部材と係止可能な第２部材とを含んでなるものとすることができる。この場合、前記案内部材は、前記第２部材と一体になっていても良い。
この場合、前記第１部材は、帯状又は線状であっても良い。帯状又は線状の第１部材は、それら単体で第２部材に係止可能となっていても良いし、或いは第１部材に取付けられた何らかの部品を介して第２部材に係止可能となっていても構わない。
第１部材が線状である場合、例えば、弾性を有する紐である場合、第１部材は例えば、表表紙又は裏表紙の一方に、その両端部を固定したものとすることができる。この場合、表表紙又は裏表紙の他方の外面に、第２部材が取付けられる。第２部材は例えば、表表紙又は裏表紙の他方の外面から立ち上がる係止部と、係止部の先端から表表紙と裏表紙の他方の基端側に向かって伸びる係止先端部とを備え、側面視でフック状に構成されたものとなっていても良い。この場合、表表紙と裏表紙の一方にその両端部を固定された線状である第１部材は、表表紙と裏表紙の一方の先端と表表紙と裏表紙の他方の先端とを跨いだ上で、その中程（必ずしもその中心とは限らない。）を表表紙と裏表紙の他方の外面に設けられた第２部材の係止部に、係止先端部と表表紙と裏表紙の他方の外面との間に位置するようにして係止することができる。第１部材を第２部材に係止することで、本の表表紙と裏表紙とは互いに固定される。ここで、第２部材の両端が表表紙と裏表紙の一方に取付けられる位置の間隔は、ある程度大きくするのが好ましい。例えば、極端な例として、線状である第１部材の両端を表表紙と裏表紙の一方の例えば外面の同一の箇所に取付けたとする。そうすると、第２部材に第１部材を係止しようとしたときに、線状である第１部材はその長さ方向の中央で、それらの間に隙間のない状態で２つ折りされた状態となる。その状態では、線状である第１部材を、第２部材に係止しにくい。他方、線状である第１部材の両端を、表表紙と裏表紙の一方の例えば外面に、ある程度の間隔を空けて固定したとする。そうすると、線状である第１部材を表表紙と裏表紙の他方側の外面にある係止部付近にまで回りこませたとき、第２部材に係止される部分で折り曲げられそこで角度がついた状態となる第１部材は、特にその角度がある程度大きい場合には、第２部材に係止しやすくなる。この効果は、表表紙と裏表紙の一方から、表表紙と裏表紙の一方の先端と、表表紙と裏表紙の他方の先端とを経て表表紙と裏表紙の他方の外面側に回り込む線状の第１部材の、表表紙と裏表紙の他方の先端側の縁の部分における間隔が、少なくとも第２部材の係止先端部の幅よりも広ければ得られる。線状体の両端は、例えば、表表紙と裏表紙の一方の先端の辺と平行な所定の直線上で、表表紙と裏表紙の一方に取付けられていても良い。なお、かかる効果は、案内部材が存在してもしなくても奏される。この場合における案内部材がない場合の本の一例を以下に挙げる。
その本は、その基端側で互いに接続された表表紙と、裏表紙とを含む表紙を有する本であり、前記表表紙と、前記裏表紙とを、前記本が閉じられた状態で互いに固定するものであり、前記表表紙と前記裏表紙とが固定する固定手段を有しており、前記固定手段は、前記表表紙と前記裏表紙の一方に、その両端部を固定した、線状の第１部材と、前記表表紙と前記裏表紙の他方の外面に設けられた、前記表表紙と前記裏表紙の他方の外面から立ち上がる係止部、及び前記係止部の先端から前記表表紙と前記裏表紙の他方の基端側に向かって伸びる係止先端部を備えた第２部材と、を有しているとともに、前記第１部材は、前記表表紙と前記裏表紙の一方の先端と前記表表紙と前記裏表紙の他方とを跨いだ上で、その中程を前記表表紙と前記裏表紙の他方の外面に設けられた第２部材の係止部に、係止先端部と表表紙と裏表紙の他方の外面との間に位置するようにして係止できるようになっており、前記第１部材のその両端は、前記表表紙と前記裏表紙の一方から、前記表表紙と前記裏表紙の一方の先端と、前記表表紙と前記裏表紙の他方の先端とを経て前記表表紙と前記裏表紙の他方の外面側に回り込む線状の前記第１部材の、前記表表紙と前記裏表紙の他方の先端側の縁の部分における間隔が、前記第２部材の前記係止先端部の幅よりも広くなるようになっているもの、である。
【００１２】
本願発明における本は、これには限られないが、ノート、手帳、書籍、バインダーのいずれかとすることができる。手帳に対してカバーを着脱自在となっているカバー付きの手帳、或いはブックカバーに固定された本であっても良い。
本願発明のブックカバーの一例を以下に示す。なお、以下のブックカバーには、手帳カバーをも含む。
ブックカバーは、その基端側で互いに接続された表表紙と、裏表紙とを含む表紙を有するとともに、前記表表紙と前記裏表紙とには、所定の本の表表紙と裏表紙である本表表紙と本裏表紙との着脱自在な固定をなすための固定部が設けられている。
このブックカバーは、前記表表紙と、前記裏表紙とを、前記本が閉じられた状態で互いに固定するものであり、前記表表紙と前記裏表紙とが固定されたときに、前記表表紙又は前記裏表紙の少なくとも一方に、前記表表紙又は前記裏表紙の外面から外側に膨らむ凸部を形成するようになっている、固定手段と、前記凸部が存在する前記表表紙又は前記裏表紙の前記凸部よりも前記基端側の部分に設けられた、前記ブックカバーに固定された本が棚に縦置きで収納された状態で前記凸部が存在する前記表表紙又は前記裏表紙と接触させつつ、棚に前記本とは別の他の本を挿入したときに、前記他の本の表紙の先端が前記凸部を乗り越えるように前記他の本の表紙の先端を前記凸部が存在する前記表表紙又は前記裏表紙から離れる方向に案内する案内部材と、を備えている。
【図面の簡単な説明】
【００１３】
【図１】第１実施形態による本を表表紙側から見た斜視図。
【図２】図１に示した本を裏表紙側から見た図。
【図３】図１に示した本を背表紙側から見た図。
【図４】図１に示した本の図１におけるＡで示した部分を図１における上方から見た拡大図。
【図５】図１に示した本の固定部材を拡大して示す図。
【図６】図１に示した本の内袋の構成及び製造方法を説明するための概略図。
【図７】図１に示した本において紐を係止部から外した状態を示す斜視図。
【図８】図１に示した本の使用状態の一例を示す斜視図。
【図９】図１に示した本が棚に縦置きされている場合であってその表表紙に沿うようにして棚に他の本が挿入された場合における、固定部材と他の本の表紙との関係を示す、図１における上方向から見た図。
【図１０】第２実施形態による本を示す斜視図。
【図１１】第３実施形態による本を示す斜視図。
【図１２】第４実施形態による本を示す斜視図。
【図１３】第５実施形態による本を示す斜視図。
【図１４】第６実施形態による本を示す斜視図。
【図１５】図１に示した本の内袋の他の構成及び製造方法を説明するための概略図。
【発明を実施するための形態】
【００１４】
以下、本発明の本の好ましい第１〜第６実施形態について、図面を参照して詳細に説明する。
なお、各実施形態において、重複する対象には重複する符号を付すものとし、重複する説明は場合により省略するものとする。
【００１５】
≪第１実施形態≫
第１実施形態における本１を図１〜４に示す。
具体的には、本１を表表紙（表表紙については後述する。）側から見た斜視図を図１に、本１を裏表紙（裏表紙については後述する。）側から見た図を図２に、本１を背表紙（背表紙については後述する。）側から見た図を図３に、本１の図１におけるＡで示した部分を図１における上方から見た拡大図を図４に、それぞれ示す。
なお、第１実施形態における本１は、書類整理用のバインダーである。
【００１６】
本１は、表紙１０を備えている。表紙１０は、樹脂製であり、ある程度の厚さを有している。この実施形態の表紙１０の厚さは、これには限られないがすべての部分で同一であり、これには限られないが２ｍｍ内外である。
表紙１０は、有色か無色かにかかわらず透明又は半透明であっても良いが、これには限られないが、この実施形態では不透明である。
表紙１０は、背表紙１１と、表表紙１２と、裏表紙１３とを備えている。背表紙１１は図１の垂直方向に細長い矩形であり、表表紙１２と、裏表紙１３とは、背表紙１１と図１における垂直方向の長さが等しく且つ背表紙１１よりもその水平方向の長さがかなり大きな略矩形である。表表紙１２と裏表紙１３とが矩形でなく略矩形であるのは、その先端の図１における上下の部分に面取りがなされているからである。
表表紙１２と裏表紙１３とは、その基端部分の全長で、背表紙１１の図１における垂直方向の２辺にそれぞれ接続されている。表表紙１２と裏表紙１３は、背表紙１１に接続されている部分を軸として回転可能となっており、それによりこの本１は開いたり閉じたりすることができるようになっている。
【００１７】
表紙１０の外側には、シート材２０が取付けられている。シート材２０は、樹脂製であり、これには限られないが、表紙１０よりも薄く構成されている。シート材２０の厚さは、これには限られないがすべての部分で同一であり、これには限られないが０．５ｍｍ内外である。
シート材２０は、有色か無色かにかかわらず透明又は半透明であっても良いが、これには限られないが、この実施形態では不透明である。
【００１８】
シート材２０は、全体的に略矩形であり、表表紙１２から、背表紙１１を介して、裏表紙１３にまで及んでいる。シート材２０の図１における垂直方向の長さは、これには限られないがこの実施形態では、シート材２０のすべての部分で同一であり、表紙１０の図１における垂直方向の長さよりも小さくなっている。また、シート材２０の下端の辺は、表表紙１２、背表紙１１、又は裏表紙１３のいずれに対応する部分においても、表表紙１２、背表紙１１、又は裏表紙１３の下端の辺に略一致するようになっている。
シート材２０の表表紙１２を覆う部分である表表紙部２１は、この実施形態では略矩形である。上述したように、表表紙部２１の図１における下端の辺は、表表紙１２の下端の辺と略一致している。他方、表表紙部２１の先端側の辺は、表表紙１２の先端側の辺にまで及んでおらず、幾らか隙間が空いている。また、表表紙部２１の図１における上側の辺と、表表紙１２の上側の辺との間には、幾らかの隙間が空いている。結果として、表表紙１２は、表表紙１２の先端側の辺と図１における上側の辺との２つの辺に沿う部分が、表表紙部２１に覆われずに露出している。
シート材２０の背表紙１１を覆う部分である背表紙部２２は、この実施形態では矩形である（図３）。上述したように、背表紙部２２の図３における下端の辺は、背表紙１１の下端の辺と略一致している。また、背表紙部２２の図３における上側の辺と、背表紙１１の上側の辺との間には、幾らかの隙間が空いておりそこから背表紙１１が露出している。
シート材２０の裏表紙１３を覆う部分である裏表紙部２３は、この実施形態では略矩形である。上述したように、裏表紙部２３の図２における下端の辺は、裏表紙１３の下端の辺と略一致している。他方、裏表紙部２３の先端側の辺は、裏表紙１３の先端側の辺の遥か手前にまでしか及んでいない。また、裏表紙部２３の図１における上側の辺と、裏表紙１３の上側の辺との間には、幾らかの隙間が空いている。結果として、裏表紙１３は、その殆どの部分が、裏表紙部２３に覆われずに露出している。
【００１９】
上述のように、表表紙１２のうち、表表紙１２の先端側の辺と図１における上側の辺との２つの辺に沿う部分は、表表紙部２１に覆われずに露出するようになっている。そのようにしているのは、主に意匠的な側面からである。
表表紙１２と表表紙部２１の色彩が異なるとする。そうすると、表表紙１２を含む表紙１０と、表表紙部２１を含むシート材２０とが共に、その形成についてのコストが低い一色成形ものであったとしても、両者の色彩を異ならせることで、表表紙部２１から、色彩の異なる表表紙１２が略Ｌ字型形状で覗くという、デザイン性の高い意匠を得ることができる。加えて、かかる構成は、色彩違いの複数の表紙１０と、色違いの複数のシート材２０とを組合せることで、非常に多くのバインダー１のカラーバリエーションを、コストをそれほど上げずに実現できるという点でも意味がある。
また、表表紙部２１を含むシート材２０を透明又は半透明とすれば、表表紙部２１における色彩を、表表紙部２１を透かして表表紙１２を見た色彩とすることができるため、意匠的により変化をつけることも可能となるし、特に後述するポケットに書類等を挿入した場合には、露出するシート材の色彩、シート材を通して見る特定表紙の色、及びシート材を通して見る書類等の色の３種類の色が現れることになるので、視覚的な面白味が増す。
【００２０】
シート材２０は、表紙１０に対して、以下のようにして取付けられている。
まず、シート材２０の裏表紙部２３の先端付近２３Ａが、これには限られないがこの実施形態では溶着、例えば公知の超音波溶着によって、図２における垂直方向に、裏表紙１３に固定されている。
また、シート材２０の表表紙部２１の下端付近２１Ａが、これには限られないがこの実施形態では溶着、例えば公知の超音波溶着によって、図１における水平方向に表表紙１２に固定されている。
これによって、表表紙１２と表表紙部２１との間をポケットとして使用することができるようになる。表表紙部２１の図１における右側の辺と、上側の辺は、表表紙１２に固定されておらず、開放可能になっている。そこから、例えば、整理前の書類を表表紙１２と表表紙部２１との間に挿入することで、そこに一時的に書類を保管できるようになる。
【００２１】
裏表紙１３には、図２に示したように、本願における固定手段の一部をなす紐３０が固定されている。紐３０は、裏表紙１３に、図２における垂直方向に適宜の間隔を空けて穿たれた２つの孔１３Ｂを利用して、その両端を裏表紙１３に固定されている。紐３０の両端はともに、孔１３Ｂを介して、裏表紙１３の外側から内側に通されており、且つその両端には図示を省略するが結び目が作られている。結び目の大きさは孔１３Ｂを通過できない大きさとされており、それにより紐３０の両端は裏表紙１３に取付けられている。
紐３０は靭やかに任意の方向に曲折可能であり、これには限られないが、伸縮性を有している。
【００２２】
表表紙１２には、これも本願における固定手段の一部をなす固定部材４０が設けられている。固定部材４０は本願における固定手段の一部と案内部材とを一体化したものである。
固定部材４０を拡大して図５に示す。図５（Ａ）は固定部材４０の斜視図であり、同（Ｂ）は固定部材４０を表表紙１２の外側から見た図であり、同（Ｃ）は固定部材４０を表表紙１２の先端側から見た図であり、同（Ｄ）は固定部材４０を表表紙１２の基端側から見た図であり、同（Ｅ）は固定部材４０を表表紙１２の図１における下方側から見た図であり、同（Ｆ）は固定部材４０のＢ−Ｂ断面図である。
固定部材４０は、これには限られないが、この実施形態では樹脂製の一体物である。
固定部材４０は、略円形をしたベース４１を備えている。ベース４１の中心付近には、略半円形状の孔である半円孔４１Ａが穿たれている。半円孔４１Ａは、樹脂の一体物である固定部材４０を型から抜けるようにするためのものであり、図５（Ｅ）、（Ｆ）における係止先端部（後述）の下方に空間を形成するためのものである。
ベース４１の表表紙１２の先端側には、係止部４２が設けられている。係止部４２は、固定部材４０の中心に向かってその先端である係止先端部４２Ａを張り出させたような形状となっており、全体としてフック状の形状となっている。係止部４２の係止先端部４２Ａの内側で且つ下側には、図４に示したようにして、紐３０を係止することができるようになっている。係止先端部４２Ａの幅（この実施形態では、幅という語を用いる場合には、図１における上下方向を意味するものとする）は、上述した紐３０の両端の幅よりも狭くなっている。それにより、紐３０の中程を指で摘んで紐３０を係止部４２に係止するときの紐３０の間隔を稼ぐことが可能となるので、係止部４２に紐３０を係止するのが容易になるようになっている。なお、この効果は、裏表紙１３側から表表紙１２に回り込んで来た紐３０の、表表紙１２の先端側の縁の部分における間隔が、少なくとも係止先端部４２Ａの幅よりも広ければ得られる。
ベース４１の表表紙１２の基端側には、係止先端部４２Ａに向けて立ち上がる案内部４３が設けられている。案内部４３の表表紙１２の基端側は、係止先端部４２Ａに向けて立ち上がる滑らかな面である傾斜面４３Ａとなっている。傾斜面４３Ａの幅は、係止部４２の幅と略等しいかそれより広くなっているべきであり、また傾斜面４３Ａの先端の幅は、係止先端部４２Ａの幅と略等しいかそれより広くなっているべきである。この実施形態では、傾斜面４３Ａの幅は、係止部４２の幅と略等しく、また傾斜面４３Ａの先端の幅は、係止先端部４２Ａの幅と略等しい。
【００２３】
固定部材４０は、そのベース４１の図５における下側を、表表紙部２１の先端付近に固定することによって表表紙部２１に固定されている。表表紙部２１と、固定部材４０との固定は、これには限られないが溶着、例えば公知の超音波溶着による。固定部材４０が表表紙部２１に固定された状態で、固定部材４０における傾斜面４３Ａの幅方向の中心と、係止部４２の幅方向における中心とを結ぶ線は、表表紙１２の図１における上下の辺に平行となるようにされている。
【００２４】
図１における表表紙１２と裏表紙１３との間には、本願発明におけるシート片の一例となる内袋５０が多数取付けられている。内袋５０は、バインダーにおいてその使用がされていることが公知、或いは周知な袋状の樹脂製のシートである。
内袋５０は、これには限られないが、図６に示したように、透明な２枚の同じ形状、大きさの矩形のシート５１を重ね合わせ、その網掛け部分である溶着部５１Ａを溶着することで構成されている。各内袋５０は、表表紙１２及び裏表紙１３よりも一回り小さい矩形となり、図１における上側の辺のみが開放された状態となる。
或いは、内袋５０は、図１５に示したような方法で製造することも可能である。この場合の内袋５０は、例えば押出成形によって作られた、長尺であり、その周方向のどこにも継目のないスリーブ状の透明な袋である長尺袋５２を、最終的に得る内袋５０の高さに相当する長さ毎に、点線で示した部分で切断し（図１５（Ａ））、切断して得られた、その両端が開放された筒状の袋５２Ａの一端側の全長にわたる第１溶着部５２Ａ１を、筒状の袋を潰した状態で溶着し（同（Ｂ））、そして、第１溶着部５２Ａ１の中央を通り且つ第１溶着部５２Ａの長さ方向をその長さ方向とする第２溶着部５２Ａ２を溶着する（同（Ｃ））ことによって得られる。この内袋５０は、図６に示した内袋５０と略同様の構造をしているが、その幅方向の両端に溶着された部分がないことから、書面等が挿入されるその内部の空間の幅を大きくできるという利点を持つ。
そして、図６或いは図１５に示した２つで一組とされた内袋５０は、多数、例えば１０枚を重ねあわせた状態で、溶着部５１Ａ中央の中央部５１Ａ１又は、図１５に示した内袋５０で中央部５１Ａ１に相当する第２溶着部５２Ａ１を、背表紙１１の内側面に、背表紙１１の図１における垂直方向で、例えば公知の超音波溶着によって溶着させることにより、固定されている。
各内袋５０は、背表紙１１に溶着された部分を軸として、回転可能となっている。
【００２５】
次いでこのバインダーである本１の使用方法について説明する。
バインダーとしての本１の使用方法は、書類整理用の内袋を備えた従来からのバインダーと基本的には変わらない。仕舞われている状態では本１は、図１に示されたような閉じられた状態となっている。このとき紐３０は、通常、固定部材４０の係止部４２に係止され、表表紙１２と裏表紙１３とは互いに固定された状態となっている。ユーザは紐３０を摘んで係止部４２に対する紐３０の固定を解いて図７に示したような状態とする。これにより、ユーザは、本１を開けるようになる。
ユーザは必要に応じて、表表紙１２と裏表紙１３の一方を他方に対して回転させることにより本１を開き、内袋５０をめくり、書類を任意の内袋５０に挿入してファイリングを行う。また、ユーザは、例えば未整理の書類１００を、表表紙１２と表表紙部２１との間に形成される上述のポケットに一時的に収納することができる（図８）。ユーザは自分にとって都合の良いタイミングで、ポケットに収納した書類１００を、任意の内袋５０に挿入すれば良い。
【００２６】
バインダーとしての本１の使用が終わったら、ユーザは、本１を閉じてから、紐３０を固定部材４０の係止部４２に係止して、本１を所定の場所に仕舞う。ポケットの先端側の部分に相当する表表紙部２１の先端側の辺は表表紙１２に固定されておらず開放可能となっているが、紐３０が係止部４２に係止されていれば、ポケットに差し込まれた書類１００等がポケットから脱落する可能性は低い。
本１は、例えば、本棚等の棚に、縦置きで仕舞われる。そのとき本１の両側には、他の本か、ブックエンドか、或いは棚の壁が隣接しているのが通常である。つまり、本１の両側には通常、何らかの壁が存在している。
【００２７】
本１が棚に仕舞われているときに、ユーザが他の本を本１に隣接するようにしてその棚に仕舞いたい場合がある。本１は上述のように何らかの壁に挟まれており、その表表紙１２と裏表紙１３は、両側から軽く圧をかけられているか、さもなくば両側には移動できないようになっている。
その状態で他の本を棚に仕舞う。他の本を本１の裏表紙１３の外側に隣接させて棚に挿入する場合は、本１の裏表紙１３側には大きな出っ張りがないため問題は生じない。問題が生じるおそれがあるのは、本１の表表紙１２の外側に隣接させて他の本を挿入する場合である。この場合には、係止部４２に他の本の、本１の表表紙１２に接する位置にある側の表紙が引っ掛かるおそれがある。
しかしながら、他の本の本１の表表紙１２に接する表紙２００は、図９（Ａ）〜（Ｅ）に示したようにして、固定部材４０の案内部４３の傾斜面４３Ａに案内されながら、表表紙１２の先端側に押し込まれるに連れて、表表紙１２の外側の面から遠ざかり、そして傾斜面４３Ａの高さが多少係止部４２の高さよりも低くとも、また、本１と他の本とが、それらの両側にあり、本１と他の本とを挟んでいる壁から多少の圧を受けていたとしても、係止部４２を乗り越えて進んでいく。これにより、他の本の本１の表表紙１２に接する表紙２００は、係止部４２に邪魔をされることなく、棚の奥まで進むことになる。なお、図９では紐３０と、表表紙１２の外面に存在する表表紙部２１の記載を省略している。
この実施形態の本１であれば、バインダーとしての本１を隣接させて、複数、或いは多数棚に並べる場合であっても、新たな本１を棚に挿入する場合に、その新たな本１を棚の奥まで挿入できないという事態がまず生じない。
【００２８】
＜変形例＞
以上で説明した本１は、上述のようにバインダーであった。
そして、本１の中身に当たるものは内袋５０であり、内袋５０は、表紙１０の背表紙１１の内側面に固定されていた。
もっとも、内袋５０を他のものに変えることにより、バインダーたる本１を、例えば、ノート、手帳、書籍とすることも可能である。
また、本１の表紙１０から内袋５０を外したものを、本願実施形態の本１ではなく、所定の本のカバーであるブックカバー（本が手帳であるときは手帳カバーとなる。）として用いることが可能である。
この場合の表表紙１２と裏表紙１３との内側面にはそれぞれ、所定の本の表表紙と裏表紙とを固定する公知の手段が設けられる。
このブックカバーの使用方法は基本的に、公知のブックカバーと変わらず、また、表表紙１２と表表紙部２１との間に形成される上述のポケットに、第１実施形態で説明したように、メモ書きや名刺や領収書などの任意の書類を一時的に収納することも可能である。
また、このブックカバーを被せられた手帳を含む本が棚に収納されており、且つその隣に他の本が収納される場合であっても、第１実施形態で説明した、他の本を棚の奥まで挿入できないという事態がまず生じない、という効果を同様に得ることができる。
この変形例における記載は、以下に説明する他の実施形態についても同様である。
【００２９】
≪第２実施形態≫
第２実施形態の本２を、図１０を用いて説明する。
第２実施形態の本２は、大半の部分で第１実施形態の本１と同様である。異なるのは、第２実施形態の本２は、第１実施形態の本１が備えていたシート材２０を持たないという点である。また、第２実施形態の本２は、第１実施形態の本１とは、本願発明でいう固定手段と案内部材の点で異なるものとなっている。
本２の裏表紙１３には、紐３１が取付けられている。紐３１はその基端のみを裏表紙１３に固定されており、その先端は自由端となっている。紐３１の基端の裏表紙１３に対する固定方法はどのようなものでも構わないが、第１実施形態における紐３０の裏表紙１３への固定方法を流用することができ、この実施形態ではそうしている。
紐３１は靭やかで曲折可能である。この紐３１は明確な伸縮性を有する必要はなく、例えば革紐とすることができる。
他方、表表紙１２の外側面には、紐３１の先端側を巻きつけることで紐３１の先端側と簡易的に固定を行うことができる、巻付け部材６０が設けられている。巻付け部材６０は例えば円板状の頭部６０Ａを備えており、その頭部６０Ａよりも小径であり、且つ頭部６０Ａと同軸とされた円筒形の軸部（図示を省略）を介して表表紙１２の外側面に取付けられている。つまり、頭部６０Ａは表表紙１２の外側面から幾らか浮いた状態となっている。軸部の表表紙１２への固定は、公知或いは周知の適当な方法によれば良い。
紐３１は、頭部６０Ａと表表紙１２との間の隙間に存在する軸部に巻き付けられる。その巻き付けをきつく行うことにより、紐３１の先端側は巻付け部材６０に着脱自在に固定されることになる。本２が閉じた状態で、紐３１の先端側を巻付け部材６０に固定することにより、本２の表表紙１２と裏表紙１３とは固定されることになる。
他方、紐３１を軸部から巻き解けば、紐３１と巻付け部材６０との固定は解除され、本２の表表紙１２と裏表紙１３との固定も解除されるから、本２は開ける状態となる。
巻付け部材６０における頭部６０Ａは上述のように軸部によって表表紙１２から浮いた状態となっている。つまり、巻付け部材６０は表表紙１２の外面から出っ張っており、本願発明でいう凸部になっている。したがって、本２を棚に入れた状態で、他の本を本２の表表紙１２側に押し入れる場合には、その凸部が他の本の棚への挿入の妨げになる可能性がある。
それを防止するために、第２実施形態では、案内部材７０を表表紙１２に設けている。第１実施形態では、この案内部材７０と、巻付け部材６０との役割を、固定部材４０という一体の部材に担わせていたが、第２実施形態では、その役割を２つの別の部材に担わせることとしている。もっとも、案内部材７０と巻付け部材６０を一体とすることはもちろん可能である。
案内部材７０は表表紙１２の外側面のうち、巻付け部材６０よりも表表紙１２の基端よりに設けられている。案内部材７０は三角柱型であり、その一面を表表紙１２の外面に固定されている。案内部材７０の幅は巻付け部材６０の幅と略同じである。案内部材７０の基端側には、巻付け部材６０に向かうに連れて表表紙１２の外側面からの距離が遠ざかるように傾斜する傾斜面７１が設けられている。案内部材７０から巻付け部材６０までの距離と、傾斜面７１の最も巻付け部材６０寄りの部分における表表紙１２の外側面からの距離は、本２が棚に収納されており、且つその隣に他の本が収納される場合であっても、他の本を棚の奥まで挿入できないという事態がまず生じない、という効果を得られるように、つまり表表紙１２に隣接する他の本の表紙が巻付け部材６０を乗り越えられるように、設計される。
第２実施形態の本２の使用方法は、ポケットに関する部分を除き第１実施形態と同じである。
【００３０】
≪第３実施形態≫
第３実施形態の本３を、図１１を用いて説明する。
第３実施形態の本３は、略第２実施形態の本２と同様である。第３実施形態の本３が第２実施形態の本２と異なるのは、本願発明でいう固定手段の構成のみである。
本３の裏表紙１３には、所定幅のベルト３２が取付けられている。ベルト３２はその基端のみを裏表紙１３に固定されており、その先端は自由端となっている。ベルト３２の基端の裏表紙１３に対する固定方法はどのようなものでも構わず、公知又は周知の方法を用いればよい。
ベルト３２は靭やかで曲折可能である。このベルト３２は明確な伸縮性を有する必要はなく、例えば革や布製とすることができる。ベルト３２の先端には、第１係止具３３が取付けられている。第１係止具３３は、これには限られないが、例えば、樹脂や、或いは金属で形成することができる。
他方、表表紙１２の外側面には、第２係止具６１が設けられている。第２係止具６１は、第１係止具３２との間で着脱自在な固定を行うための部材である。第２係止具６１は、これには限られないが、例えば、樹脂や、或いは金属で形成することができる。第１係止具３２と第２係止具６１の構成は、両者が着脱自在に固定できるようになっている限りどのようなものでも構わない。この実施形態では、第２係止具６１には孔６１Ａが設けられており、第１係止具３２をその孔６１Ａに挿入した状態で、第２係止具６１に第１係止具３２が固定されるようになっている。
この実施形態では、第２係止具６１が本願発明でいう凸部を構成することになる。かかる凸部による弊害を回避するために、第３実施形態の本３は案内部材７０を備えている。案内部材７０の構成、機能は第２実施形態における案内部材７０に倣えば良い。
第３実施形態による本３の使用方法は、第２実施形態の本２の場合と同様である。
【００３１】
≪第４実施形態≫
第４実施形態の本４を、図１２を用いて説明する。
第４実施形態の本４は、略第３実施形態の本３と同様である。第４実施形態の本４が第３実施形態の本３と異なるのは、本願発明でいう固定手段の構成のみである。
本４の裏表紙１３には、第３実施形態の場合と同様のベルト３２が取付けられている。もっとも第４実施形態におけるベルト３２の幅は第３実施形態のベルト３２よりも幅がかなり広い。第４実施形態のベルト３２には、また、第３実施形態の場合と同様の第１係止具３３が取付けられている。もっとも第４実施形態の第１係止具３３は、ベルト３２の幅に対応したものとなっており、第３実施形態のベルト３２の幅よりもかなり幅広である。
第４実施形態の本４でも表表紙１２の外側面には、第３実施形態の本３の場合と同様に、第２係止具６１が設けられている。もっとも第４実施形態の第２係止具６１は、第３実施形態の場合よりも幅広である。第２係止具６１は、第１係止具３２との間で着脱自在な固定を行うための部材であり、それが可能な限りにおいて、第１係止具３２と第２係止具６１の構成は自由である。第４実施形態でも、第２係止具６１には孔６１Ａが設けられており、第１係止具３２をその孔６１Ａに挿入した状態で、第２係止具６１に第１係止具３２が固定されるようになっている。なお、第４実施形態における孔６１Ａも、第３実施形態の場合よりも幅広である。
この実施形態では、第２係止具６１が本願発明でいう凸部を構成することになる。かかる凸部による弊害を回避するために、第４実施形態の本４は案内部材７０を備えている。案内部材７０の構成、機能は第３実施形態における案内部材７０に倣えば良いが、この案内部材７０及びその傾斜面７１は、幅広の第２係止具６１の幅に略等しい幅を持つ。
第４実施形態による本４の使用方法は、第３実施形態の本３の場合と同様である。
【００３２】
≪第５実施形態≫
第５実施形態の本５を、図１３を用いて説明する。
第５実施形態の本５は、略第４実施形態の本４と同様である。第５実施形態の本５が第４実施形態の本４と異なるのは、案内部材７０の構成のみである。
本５の裏表紙１３には、第４実施形態の場合と同じベルト３２が取付けられている。第５実施形態のベルト３２には、また、第４実施形態の場合と同様の第１係止具３３が取付けられている。
第５実施形態の本５でも表表紙１２の外側面には、第４実施形態の本４の場合と同様の第２係止具６１が設けられている。第５実施形態でも、第２係止具６１には孔６１Ａが設けられており、第１係止具３２をその孔６１Ａに挿入した状態で、第２係止具６１に第１係止具３２が固定されるようになっている。
この実施形態では、第２係止具６１が本願発明でいう凸部を構成することになる。かかる凸部による弊害を回避するために、第５実施形態の本５は案内部材７０を備えている。
案内部材７０は、表表紙１２の幅方向に複数個、これには限られないがこの実施形態では４個設けられている。表表紙１２の幅方向の両外側に位置する案内部材７０の両外側は、第２係止具６１の幅方向の両外側に対応している。案内部材７０の数、各案内部材７０の傾斜面７１の幅、各案内部材から第２係止具６１までの距離等は、本５が棚に収納されており、且つその隣に他の本が収納される場合であっても、他の本を棚の奥まで挿入できないという事態がまず生じない、という効果を得られるように、つまり表表紙１２に隣接する他の本の表紙が第２係止具６１を乗り越えられるように、設計される。
第５実施形態による本５の使用方法は、第４実施形態の本４の場合と同様である。
【００３３】
≪第６実施形態≫
第６実施形態の本６を、図１４を用いて説明する。
第６実施形態の本６は、略第５実施形態の本５と同様である。第６実施形態の本６が第２実施形態の本５と異なるのは、案内部材の構成のみである。
第６実施形態の案内部材８０は、第５実施形態の案内部材７０と異なり、一つのみである。ただし、案内部材８０が備える傾斜面８１は、複数であり、これには限られないがこの実施形態では４つである。
第６実施形態における案内部材８０が備える傾斜面８１は、第５実施形態の４つの案内部材７０が備える傾斜面７１にそれぞれ対応したものであると捉えることができ、第６実施形態の案内部材８０は、第５実施形態における案内部材７０のうち隣接するもの同士を、接続部８２により接続したものであると、捉えることができる。
第６実施形態による本６の使用方法は、第５実施形態の本５の場合と同様である。
【符号の説明】
【００３４】
１  本
２  本
３  本
４  本
５  本
６  本
１０  表紙
１１  背表紙
１２  表表紙
１３  裏表紙
２０  シート材
２１  表表紙部
２２  背表紙部
２３  裏表紙部
３０  紐
４０  固定部材
４１  ベース
４２  係止部
４２Ａ  係止先端部
４３  案内部
４３Ａ  傾斜面
【図１】
2016132120.tif 000003
【図２】
2016132120.tif 000004
【図３】
2016132120.tif 000005
【図４】
2016132120.tif 000006
【図５】
2016132120.tif 000007
【図６】
2016132120.tif 000008
【図７】
2016132120.tif 000009
【図８】
2016132120.tif 000010
【図９】
2016132120.tif 000011
【図１０】
2016132120.tif 000012
【図１１】
2016132120.tif 000013
【図１２】
2016132120.tif 000014
【図１３】
2016132120.tif 000015
【図１４】
2016132120.tif 000016
【図１５】
2016132120.tif 000017